(57)【特許請求の範囲】
【請求項１】
第１、第２の筐体を互いに回動自在にする軸受部と、
前記軸受部と同軸に前記第１、第２の筐体に形成された筒状体と、
中央部が前記筒状部に挿入され両端部がそれぞれ前記第１、第２の筐体内に設けられたそれぞれの電子回路に電気的に接続されたフレキシブル基板と、
前記筒状体に近接する部分で前記フレキシブル基板と電気的に接続されるプリント配線基板と、
前記プリント配線基板に設けられ、前記プリント基板と前記フレキシブル基板との接続位置と前記プリント基板の筒状部側の端部との間に設けられた吸水部材と、
を備えた折畳式電子機器。
【請求項２】
前記プリント配線基板と前記フレキシブル基板とは、前記プリント配線基板の前記筒状体に近接する部分に設けられたコネクタと、前記フレキシブル基板の端部に設けられたコネクタとで互いに電気機械的に着脱自在に接続されていることを特徴とする請求項１記載の折畳式電子機器。
【発明の詳細な説明】
【０００１】
【発明の属する技術分野】
本発明は、携帯電話機、ＰＤＡ、その他の折畳み可能な折畳式電子機器に関する。
【０００２】
【従来の技術】
一般に、折畳み可能な電子機器を構成する場合には、第１の筐体と第２の筐体とを互いに軸受部によって回動自在に枢着すれば良いのであるが、この場合、第１の筐体内の電子回路と第２の筐体内の電気回路とを如何にして互いに電気的に接続するかが問題となる。
【０００３】
通常、第１、第２の筐体にそれぞれ軸受部と同軸の筒状体を形成し、これらの筒状体に１回転だけ捲回したフレキシブル基板を挿入し、そのフレキシブル基板の両端部をそれぞれ第１、第２の筐体内に設けられた電子回路に接続し、第１、第２の筐体内に設けられた電気回路間を互いに電気的に接続するように構成することが多い。
【０００４】
このように構成すると、フレキシブル基板が外部に露出せず、見栄えがよいので、近年、特に携帯電話機、その他の機器で広く使用されている。
【０００５】
【発明が解決しようとする課題】
ところで、この種のものでは、筒状体にフレキシブル基板を挿入し、そのフレキシブル基板を第１、第２の筐体内の電子回路に接続しなければならないため、第１、第２の筒状体を軸受部とは別に第１、第２の筐体にそれぞれ一体に設ける必要があり、第１の筒状体と第２の筒状体との間、及び、これらの筒状体と軸受部との間にどうしても僅かな隙間が生じることになり、雨の中などで使用した場合には、これらの隙間から雨水等が浸入し、内部の電気回路に悪影響を与える可能性があるという問題があった。
【０００６】
本発明は、このような従来の問題点を解決するものであり、雨水などが多少浸入してもこれらを吸水し内部の電気回路に悪影響を与えない折畳式電子機器を提供することを目的とするものである。
【０００７】
【課題を解決するための手段】
本発明は、前記目的を達成するために、第１、第２の筐体を互いに回動自在にする軸受部と、前記軸受部と同軸に前記第１、第２の筐体に形成された筒状体と、中央部が前記筒状部に挿入され両端部がそれぞれ前記第１、第２の筐体内に設けられたそれぞれの電子回路に電気的に接続されたフレキシブル基板と、前記筒状体に近接する部分で前記フレキシブル基板と電気的に接続されるプリント配線基板と、前記プリント配線基板に設けられ、前記プリント基板と前記フレキシブル基板との接続位置と前記プリント基板の筒状部側の端部との間に設けられた吸水部材と、を備える構成とした。
【０００８】
この構成により、筒状体同志、或いは、筒状体と軸受部との間に形成された隙間から雨水が多少浸入したとしても、これらの雨水はプリント配線基板の筒状体に近接する部分に設けられた吸水部材によって素早く吸収されることになり、プリント配線基板の主要部に浸入することなく、実質的に電子回路に何ら悪影響を与えないという作用を有する。
【０００９】
また、本発明は、前記プリント配線基板と前記フレキシブル基板とは、前記プリント配線基板の前記筒状体に近接する部分に設けられたコネクタと、前記フレキシブル基板の端部に設けられたコネクタとで互いに電気機械的に着脱自在に接続されている構成とした。
【００１０】
この構成により、プリント配線基板とフレキシブル基板とを互いに電気的に着脱自在に接続でき、組立が容易になると共に、コネクタ部分に雨水が浸入すると、腐食して接触不良などを起す可能性が大きくなるが、雨水は吸水部材で先に吸収され、コネクタ部分に至らないため、このような接触不良の発生も大幅に少なくすることができる。
【００１１】
【発明の実施の形態】
以下、本発明の実施の形態について図面を用いて説明する。
図１は本発明の一実施の形態における折畳式電子機器の折畳んだ状態を示す斜視図、図２は同電子機器の開いた状態を示す斜視図、図３は同電子機器の折畳んだ状態の要部断側面図、図４は同電子機器の開いた状態の要部断側面図、図５は同電子機器を構成する第１の筐体を開いた状態の要部背面図、図６は同電子機器を構成する第１の筐体から第２の筐体を取外した状態の要部正面図である。
【００１２】
本発明の一実施の形態における折畳式電子機器は、図１〜図６に示すように、第１の筐体１と第２の筐体２とを備え、第１の筐体１と第２の筐体２とはそれぞれ第１の筐体１、第２の筐体２に一体に形成された軸受部３ａ、３ｂ、４ａ、４ｂによって互いに回動自在に枢着されている。すなわち、軸受部３ａ、３ｂは、軸受部４ａ、４ｂに対向しており、両者はそれぞれ軸５ａ、５ｂで連結されている。
【００１３】
そして、本実施の形態は、折畳式の携帯電話機を構成しており、第１の筐体１には、ナビゲーションキー６、その他の各種機能キー７、テンキー８、送話器９などが設けられ、第２の筐体２には、アンテナ１０、液晶表示器１１、受話器１２などが設けられている。
【００１４】
また、第１、第２の筐体１、２は、それぞれ上筐体１ａ、２ａ、下筐体１ｂ、２ｂで構成され、これらの上筐体１ａ、２ａ、下筐体１ｂ、２ｂには、軸受部３ａ、３ｂ、３ｃ、３ｄと同軸の筒状部１３、１４を構成する円弧状体がそれぞれ一体に形成されている。すなわち、円弧状体の具体的な構成は、図示していないが円弧状体は、上筐体１ａ、２ａ、下筐体１ｂ、２ｂにそれぞれ一体に形成され、上筐体１ａ、２ａと下筐体１ｂ、２ｂとを互いに結合したとき、円弧状体が互いに突き合わされて筒状体１３，１４を形成するように構成されている。
【００１５】
筒状部１３、１４には、フレキシブル基板１５が挿入され、そのフレキシブル基板１５で第１、第２の筐体１、２内に設けた電気回路が互いに電気的に接続されている。すなわち、フレキシブル基板１５は、一端が第２の筐体２内に設けられた電気回路に半田付け、その他の方法で電気機械的に接続され、中央部に形成された捲回部が筒状部１３、１４に収納されている。そして、フレキシブル基板１５の他端にはコネクタ１６が取付けられ、このコネクタ１６が第１の筐体１内の取付けられたプリント配線基板１７に実装されたコネクタ１８に着脱自在に装着されている。
【００１６】
なお、プリント配線基板１７は、筐体の小型化に伴い、端部が筒状体１３、１４に対向する位置まで伸びており、コネクタ１８は、配線の関係上、この端部近傍に実装されている。そして、プリント配線基板１７のコネクタ１８に対向する位置のコネクタ１８より更に端部に位置する部分には、その表裏にそれぞれ吸水性のよい吸水部材１９、２０が装着されている。
【００１７】
本実施の形態は、以上のように構成されており、以下説明するように、多くの作用、効果を有する。すなわち、本実施の形態によれば、第１、第２の筐体１、２が軸受部３ａ、３ｂ、４ａ、４ｂによって回動自在に枢着され、第１、第２の筐体１、２間を互いに電気的に接続するフレキシブル基板１５が軸受部軸受部３ａ、３ｂ、４ａ、４ｂと同軸の筒状部１３、１４に収納されているため、フレキシブル基板１５が外部に露出せず、見栄えが非常によいという効果を有する。
【００１８】
そして、本実施の形態によれば、筒状部１３と筒状部１４の間、筒状部１４、１３と軸受部３ａ、３ｂ、４ａ、４ｂの間は、互いに双方で相対的に回動する部分であるため、これらの間には必然的に隙間が形成され、雨の中で使用した場合には、これらの隙間を通して雨水が筒状部１３、１４に浸入する可能性があるが、プリント配線基板１７には、コネクタ１８より更に端部側にそれぞれ吸水部材１９、２０を設けているため、仮に雨水が筒状体１３、１４に浸入し、フレキシブル基板１５を通してプリント配線基板１７側に導かれたとしても、それを吸水部材１９、２０によって吸水し、プリント配線基板１７やコネクタ１６、１８に悪影響を与えるのを容易に未然に阻止することができる。特に、本実施の形態のように、コネクタ１８を使用した場合には、そこに雨水が浸入すると、腐食して接触不良などの重大な問題を引き落とす可能性があるが、本実施の形態によれば、このような原因での接触不良を未然に容易に防止することができるという利点を有する。
【００１９】
尚、本実施の形態では、折畳式電子機器として折畳式の携帯電話機を例に挙げ説明したが、携帯電話機に限定されず、ＰＤＡ、パソコン、その他の電子機器であってもよい。また、本実施の形態では、プリント配線基板に吸水部材を装着したが、吸水部材は、プリント配線基板に限らず、フレキシブル基板の筒状体に近接する位置に設けてもよく、また、これらの両者に設けてもよい。
【００２０】
【発明の効果】
以上説明したように、本発明によれば、筒状部や軸受部にできた隙間から多少の雨水が浸入したとしても、それを筐体内部で吸水部材によって吸水するようにしているため、筐体内部の電気回路にはほとんど到達せず、悪影響を与えないという効果を有する。
【図面の簡単な説明】
【図１】本発明の一実施の形態における折畳式電子機器の折畳んだ状態を示す斜視図。
【図２】本発明の一実施の形態における折畳式電子機器を開いた状態の斜視図。
【図３】本発明の一実施の形態における折畳式電子機器を折畳んだ状態の要部断側面図。
【図４】本発明の一実施の形態における折畳式電子機器を開いた状態の要部断側面図。
【図５】本発明の一実施の形態における折畳式電子機器を構成する第１の筐体を開いた状態の要部背面図。
【図６】本発明の一実施の形態における折畳式電子機器を構成する第１の筐体から第２の筐体を取外した状態の要部正面図。
【符号の説明】
１  第１の筐体
２  第２の筐体
３ａ、３ｂ  軸受部
４ａ、４ｂ  軸受部
５ａ、５ｂ  軸
６  ナビゲーションキー
７  機能キー
８  テンキー
９  送話器
１０  アンテナ
１１  液晶表示器
１２  受話器
１３  筒状部
１４  筒状部
１５  フレキシブル基板
１６  コネクタ
１７  プリント配線基板
１８  コネクタ
１９  吸水部材
２０  吸水部材
【図１】
0003943413.tif 000002
【図２】
0003943413.tif 000003
【図３】
0003943413.tif 000004
【図４】
0003943413.tif 000005
【図５】
0003943413.tif 000006
【図６】
0003943413.tif 000007